(57)【特許請求の範囲】
【請求項１】
容器内に充填又は保存された油に含まれる有機ハロゲン化合物を分解する分解処理方法であって、前記有機ハロゲン化合物を含む油に水素供与体及びアルカリ化合物を添加してなる混合液を、前記容器内に設置した触媒充填装置に流通させながら容器内で循環させることにより、油中の有機ハロゲン化合物を分解することを特徴とする有機ハロゲン化合物の分解処理方法。
【請求項２】
前記水素供与体が、複素環式化合物、アミン系化合物、アルコール系化合物、ケトン系化合物及び脂環式化合物からなる群から選ばれた少なくとも一つの化合物である請求項１に記載の有機ハロゲン化合物の分解処理方法。
【請求項３】
前記水素供与体の添加量が、有機ハロゲン化合物を含む油に対する割合として、５〜５０％（ｖｏｌ）である請求項１又は２に記載の有機ハロゲン化合物の分解処理方法。
【請求項４】
前記アルカリ化合物が、苛性ソーダ、苛性カリ、ナトリウムアルコキシド、カリウムアルコキシド及び水酸化カルシウムからなる群から選ばれた少なくとも一つの化合物である請求項１〜３のいずれかに記載の有機ハロゲン化合物の分解処理方法。
【請求項５】
前記アルカリ化合物の添加量が、水素供与体に対する割合として、０．１〜４０％（ｗ／ｖ）である請求項１〜４のいずれかに記載の有機ハロゲン化合物の分解処理方法。
【請求項６】
前記油に添加する水素供与体及びアルカリ化合物が、アルカリ化合物を水素供与体に溶解したものである請求項１〜５のいずれかに記載の有機ハロゲン化合物の分解処理方法。
【請求項７】
前記触媒が、炭素結晶化合物、金属担持炭素化合物、金属担持酸化物及び金属担持複合酸化物からなる群から選ばれた少なくとも一つの化合物である請求項１〜６のいずれかに記載の有機ハロゲン化合物の分解処理方法。
【請求項８】
前記油が炭化水素油で、前記有機ハロゲン化合物がポリ塩化ビフェニールである請求項１〜７のいずれかに記載の有機ハロゲン化合物の分解処理方法。
【請求項９】
前記容器が柱上変圧器で、前記触媒充填装置が柱上変圧器内の巻き線上に設置されている請求項１〜８のいずれかに記載の有機ハロゲン化合物の分解処理方法。
【請求項１０】
容器内に充填又は保存された油に含まれる有機ハロゲン化合物を分解する分解処理システムであって、
前記容器内に設置する触媒充填装置と、
該触媒充填装置に前記容器内の油等を供給する供給手段と
を少なくとも備えたことを特徴とする触媒内蔵型の分解処理システム。
【請求項１１】
前記容器が柱上変圧器で、前記触媒充填装置が柱上変圧器内の巻き線上に設置しうるものである請求項１０に記載の分解処理システム。
【発明の詳細な説明】
【技術分野】
【０００１】
本発明は、容器内に充填又は保存された油に含まれる有機ハロゲン化合物を分解して油を無害化する有機ハロゲン化合物の分解処理方法及び分解処理システムに関し、詳細には、柱上変圧器内に充填又は保存された絶縁油に含まれるポリ塩化ビフェニール等を分解して油を無害化する、有機ハロゲン化合物の分解処理方法及び分解処理システムに関する。
【背景技術】
【０００２】
各種有機ハロゲン化合物のなかでも、ポリ塩化ビフェニール（以下ＰＣＢと略称することがある。）は人体を含む生体に極めて有害であることから、１９７３年に特定化学物質に指定され、その製造、輸入、使用が禁止されている。しかし、その後適切な廃棄方法が決まらないまま数万トンのＰＣＢが未処理の状態で放置されている。ＰＣＢは、高温（３０〜７５０℃）分解では強毒性のダイオキシン類である塩素化ジベンゾ−ｐ−ダイオキシン（ＰＣＤＤ）とジベンゾフラン（ＰＣＤＦ）が副生することから、技術的にＰＣＢを安全に分解することが難しく、永年にわたりＰＣＢの安全で効率的な各種分解法が検討されている。
【０００３】
例えば、特許文献１には、白金を担持した活性炭と芳香族塩素化合物（パラクロロフェノール）を含む混合系に、水素ガスを吹き込みながらマイクロ波を照射することにより、有害有機ハロゲン化合物を脱ハロゲン化する方法が提案されている。
【０００４】
また、特許文献２には、ハロゲン化芳香族化合物を少量含む炭化水素油（ＰＣＢを含む回収トランス油）を、１，３−ジメチル−２−イミダゾリジノン（ＤＭＩ）を溶媒として、ナトリウムエトキシドやＮａＯＨ等のアルカリ物質の存在下で１００℃以上３００℃以下で加熱した後、炭化水素油を分離することにより、ハロゲン化芳香族化合物を除去する方法が提案されている。
【特許文献１】特開２００１−１９６４６号公報
【特許文献２】特開平６−２５６９１号公報
【発明の開示】
【発明が解決しようとする課題】
【０００５】
しかしながら、特許文献１記載の方法では、水素ガスを芳香族塩素系化合物を含む反応系に外部から供給する必要があり、実用的な手法としては好ましくない。また、特許文献２に記載されている方法は高温（１００〜３００℃）での反応であるため、副反応生成物が生成する可能性が高い。
【０００６】
また、従来はバッチ式の処理のため、大量に処理するためには設備が非常に大きくなるとともに、粉末触媒をそのまま油中に投入するため、無害化処理済み後の廃油中から触媒を分離するのに大きな手間がかかっていた。また、固定床式の触媒を使用するとＰＣＢとの接触機会が減り、反応が満足に進まないなどの問題があった。さらに、油中のクラスターの影響を除去するため超音波を照射すると効果的ではあるが、バッチ式では触媒も破壊されるなどの問題があった。
【０００７】
また、ＰＣＢ処理設備の建設にはアセスメントが必要であることより、変圧器貯蔵所などの現場でＰＣＢの無害化処理が可能で、しかも、ＰＣＢを安全に大量処理することができ、かつ安価に分解処理できる方法の開発が望まれていた。
【０００８】
本発明は、前記従来の課題に鑑みてなされたものであり、柱上変圧器に使用された絶縁油など有機ハロゲン化合物が混入した油を、特別な分解処理装置を使用することなく簡易に短期間で無害化処理することができ、しかも、触媒を分離する手間が不要で、副反応生成物が生成する可能性が低い、有機ハロゲン化合物の分解処理方法及び分解システムを提供することを目的とする。
【課題を解決するための手段】
【０００９】
本発明者らは、前記課題を解決するため鋭意検討した結果、有機ハロゲン化合物が微量混入した柱上変圧器内の油に、水素供与体とアルカリを添加し、その混合液を内蔵型触媒充填装置に流通させることにより、油中の微量有機ハロゲン化合物を短期間で簡易に無害化処理できることを見出し、本発明を完成するに至った。
【００１０】
すなわち、本発明は以下のとおりである。
１）容器内に充填又は保存された油に含まれる有機ハロゲン化合物を分解する分解処理方法であって、前記有機ハロゲン化合物を含む油に水素供与体及びアルカリ化合物を添加してなる混合液を、前記容器内に設置した触媒充填装置に流通させながら容器内で循環させることにより、油中の有機ハロゲン化合物を分解することを特徴とする有機ハロゲン化合物の分解処理方法、
２）前記水素供与体が、複素環式化合物、アミン系化合物、アルコール系化合物、ケトン系化合物及び脂環式化合物からなる群から選ばれた少なくとも一つの化合物である前記１）に記載の有機ハロゲン化合物の分解処理方法、
３）前記水素供与体の添加量が、有機ハロゲン化合物を含む油に対する割合として、５〜５０％（ｖｏｌ）である前記１）又は２）に記載の有機ハロゲン化合物の分解処理方法、
４）前記アルカリ化合物が、苛性ソーダ、苛性カリ、ナトリウムアルコキシド、カリウムアルコキシド及び水酸化カルシウムからなる群から選ばれた少なくとも一つの化合物である前記１）〜３）のいずれかに記載の有機ハロゲン化合物の分解処理方法、
５）前記アルカリ化合物の添加量が、水素供与体に対する割合として、０．１〜４０％（ｗ／ｖ）である前記１）〜４）のいずれかに記載の有機ハロゲン化合物の分解処理方法、
６）前記油に添加する水素供与体及びアルカリ化合物が、アルカリ化合物を水素供与体に溶解したものである前記１）〜５）のいずれかに記載の有機ハロゲン化合物の分解処理方法、
７）前記触媒が、炭素結晶化合物、金属担持炭素化合物、金属担持酸化物及び金属担持複合酸化物からなる群から選ばれた少なくとも一つの化合物である前記１）〜６）のいずれかに記載の有機ハロゲン化合物の分解処理方法、
８）前記油が炭化水素油で、前記有機ハロゲン化合物がポリ塩化ビフェニールである前記１）〜７）のいずれかに記載の有機ハロゲン化合物の分解処理方法、
９）前記容器が柱上変圧器で、前記触媒充填装置が柱上変圧器内の巻き線上に設置されている前記１）〜８）のいずれかに記載の有機ハロゲン化合物の分解処理方法、
１０）容器内に充填又は保存された油に含まれる有機ハロゲン化合物を分解する分解処理システムであって、前記容器内に設置する触媒充填装置と、該触媒充填装置に前記容器内の油等を供給する供給手段とを少なくとも備えたことを特徴とする触媒内蔵型分解処理システム、
１１）前記容器が柱上変圧器で、前記触媒充填装置が柱上変圧器内の巻き線上に設置しうるものである前記１０）に記載の分解処理システム。
【発明の効果】
【００１１】
本発明の有機ハロゲン化合物の分解処理方法によれば、容器に充填又は保存されている有機ハロゲン化合物が混入した油と水素供与体とアルカリ化合物とを混合し、得られた混合液を容器内に配置した触媒充填装置に流通させながら容器内で循環させることにより、前記有機ハロゲン化合物を短期間に分解処理することができる。また、汚染油を回収する必要がなく、常温、常圧条件下でも簡易に分解処理できるので、変圧器貯蔵所などの現場でそのまま脱ハロゲン化処理を実施することができ、また、処理時の省スペース化も図られる。従って、実用的な規模で大量のＰＣＢを無害化することができる。
【００１２】
また、分解処理に用いる水素供与体及び／又はアルカリ化合物を選択することにより、有機ハロゲン化合物の分解処理を高い効率で行うことができ、さらに、それらの使用量を規定することにより、有機ハロゲン化合物の分解処理をより高い効率で行うことができる。また、予めアルカリ化合物を水素供与体に溶解しておいた溶液を油に添加することにより、有機ハロゲン化合物の初期分解速度を高めることができる。
【００１３】
また、分解処理に用いる触媒として、炭素結晶化合物、金属担持炭素化合物、金属担持酸化物及び金属担持複合酸化物から選ばれた少なくとも一つの化合物を用いることにより、有機ハロゲン化合物の分解処理を高い効率で行うことができ、処理コストを低減することができる。
【００１４】
本発明の有機ハロゲン化合物の分解処理システムは、容器内に充填又は保存された有機ハロゲン化合物含有油を無害化する有機ハロゲン化合物の分解処理システムであって、内蔵型の触媒充填装置と、該触媒充填装置に前記容器内の油等を供給する供給手段とを少なくとも備えているので、柱上変圧器の中に触媒充填装置を設置し、有機ハロゲン化合物混入油を該触媒充填装置に流通させることにより、有機ハロゲン化合物を短期間に容器内で分解することができ、コンパクトな分解システムとなる。
【００１５】
また、前記の触媒充填装置を柱上変圧器内の巻き線上に設置することにより、触媒充填装置における液流通面の断面積を大きく設計できるので、空間速度（ＳＶ）を一定にした場合でも液流量を増やすことができ、これにより分解処理時間を短縮することができる。
【発明を実施するための最良の形態】
【００１６】
以下、本発明に係る有機ハロゲン化合物の分解処理方法および分解処理システムについて、図面を参照しつつ詳細に説明する。
【００１７】
本発明の分解処理方法及び分解処理システムは、有機ハロゲン化合物を含有する油（含有量：１ｐｐｍ〜１０，０００ｐｐｍ、好ましくは１ｐｐｍ〜５００ｐｐｍ）が充填又は保存された容器内に、移動式の触媒充填装置を設置し、この触媒充填装置に容器内の油を流通させて有機ハロゲン化合物を触媒に接触させることにより、油中の有機ハロゲン化合物を分解処理するものである。有機ハロゲン化合物の分解処理を促進するために、油に水素供与体及びアルカリ化合物を混合する。前記の容器としては、例えば、柱上変圧器、大型トランス、ＯＦケーブル油槽等が挙げられるが、柱上変圧器が好ましい。
【００１８】
本発明の分解処理対象である有機ハロゲン化合物としては、例えば、ポリ塩化ビフェニール類（ＰＣＢ）やダイオキシン類等を挙げることができ、その種類は特に限定されるものではないが、好ましくはＰＣＢ類である。ＰＣＢ類の市販品としては、例えば、鐘淵化学（株）のＫＣ−２００（主成分：２塩化ビフェニール）、ＫＣ−３００（主成分：３塩化ビフェニール）、ＫＣ−４００（主成分：４塩化ビフェニール）、ＫＣ−５００（主成分：５塩化ビフェニール）、ＫＣ−６００（主成分：６塩化ビフェニール）や、三菱モンサイト（株）のアロクロール１２５４（５４％  Ｃｈｌｏｒｉｎｅ）等を挙げることができる。
【００１９】
本発明の分解処理方法及び分解処理システムは、有機ハロゲン化合物の中でも、一般に脱ハロゲン化が困難であるＰＣＢ類を少量ないし微量含む油の分解処理に好適である。油としては、炭化水素油等が挙げられ、具体的には、電気絶縁油、熱媒体用の油、潤滑油、あるいは、固体中に含まれる有機ハロゲン化合物を抽出した鉱油等が挙げられる。
【００２０】
図１は、本発明の分解処理システムの一実施形態を示す正面透視図であり、柱上変圧器２に充填された有機ハロゲン化合物含有油の分解処理の一例を示すものである。図１に示したように、本発明の分解処理システム１では、有機ハロゲン化合物を含有する油に、水素供与体及びアルカリ化合物を添加してなる混合液（以下、「被処理液」という。）５の入った柱上変圧器２、触媒充填装置１０、被処理液５を触媒充填装置１０に供給する供給手段（ポンプ）２０を主たる構成要素として構成される。６は柱上変圧器２に充填されている被処理液の液面を示している。ポンプ２０の取り付け位置は特に限定されるものではなく、柱上変圧器２の内部あるいは外部のいずれに備えられていてもよい。また、各ポンプには、被処理液５をポンプ２０を介して触媒充填装置１０に供給するための供給ライン１４，１５が、各ポンプ毎に備えられている。これにより、被処理液を触媒充填装置に供給して有機ハロゲン化合物を触媒と接触させる。
【００２１】
柱上変圧器２は、図示を省略しているが、水素供与体及びアルカリ化合物の供給ラインを備えていてもよい。あるいは、水素供与体とアルカリ化合物を予めプレミックスして水素供与体にアルカリ化合物を溶解させたものを保管する図示しない装置（プレタンク）を設置し、該装置から柱上変圧器２へ水素供与体及びアルカリ化合物を供給する供給ライン（図示を省略する）を備えていてもよい。
【００２２】
図１に示す触媒充填装置１０には、有機ハロゲン化合物を分解しうる後述する触媒３０が充填された触媒充填層１２が形成されている。被処理液５は、図中の矢印で示すように供給ライン１４、ポンプ２０、供給ライン１５を介して触媒充填装置１０に設けられた導入管（Ｌ字管）１３を通して触媒充填装置の下部に導入される。導入された被処理液は、空間速度（ＳＶ）０．０５〜０．５ｃｍ／ｓｅｃで触媒充填層１２を流通し、触媒充填層流通後の被処理液５は、触媒充填装置１０の上部から溢れ出る。かくして、被処理液が触媒と接触することにより、被処理液中の有機ハロゲン化合物は分解する。
【００２３】
本発明の分解処理システムに使用する触媒充填装置は、その形状、大きさ、容器内における設置場所は特に限定されるものではなく、図１に例示するように、柱上変圧器２の内部巻き線４の上に載置する、或いは、柱上変圧器内部巻き線４と柱上変圧器２の内壁との隙間に設置する等、種々の形態であってよい。なかでも、図１に示すように、柱上変圧器内部巻き線４の上に載置することが、触媒層の液流通断面積を柱上変圧器の内径に応じて大きく設計することができ、空間速度（ＳＶ）を一定にした場合でも液流速を高められることから、分解所要時間を短縮できる点で好ましい。
【００２４】
また触媒充填装置は、その全体が被処理液に浸漬している必要はなく、その上部が被処理液の液面より上にあっても構わない。図１に示すように、触媒充填装置の上部が被処理液の液面より下にある場合は、触媒層の下方から液体を流通させることにより触媒層全体が流動化し易くなるため、被処理液のショートパスが少なくなり、短時間で油を無害化することができると考えられる。
【００２５】
図２は、本発明の分解処理システムの他の一実施形態を示す正面透視図であり、柱上変圧器２には有機ハロゲン化合物を含む油が充填されている。図２において、ポンプを柱上変圧器のカバー３に取り付けた以外は、容器及びその周辺装置、水素供与体及びアルカリ化合物の容器への供給手段、触媒充填装置への被処理液の供給手段等は、図１と同様である。柱上変圧器２の中には、被処理液５をポンプ２０を介して触媒充填装置１０に供給する供給ライン１４，１５が、各ポンプ毎に備えられている。
【００２６】
図２のように、柱上変圧器のカバー３にポンプ２０を取り付けることにより、見た目にもよい分解処理装置を提供できる。また、分解処理工程中における汚染油の溢出や飛散現象を防止することもでき、安全に分解処理を行うことができる。
【００２７】
また、本発明の分解処理システムは、例えば触媒充填装置１０の被処理液入口近傍に、被処理液５内に形成されたクラスターを破壊可能な超音波発生装置等のクラスター破壊装置を備えていてもよい（図示は省略する）。有機ハロゲン化合物を溶解している溶媒が絶縁油等の油の場合、有機ハロゲン化合物と溶媒分子とがクラスターを形成する可能性があり、有機ハロゲン化合物の分解を阻害する恐れがある。超音波発生装置等のクラスター破壊装置を備えることは、これらクラスターを破壊し、有機ハロゲン化合物をむき出しにして分解反応をおこし易くする効果があると考えられる。
【００２８】
図３は、本発明の分解処理システムに使用する触媒充填装置の一例を示す側面図（図３（ａ））と上面図（図３（ｂ））であり、図中の矢印は被処理液の大略の流れ方向を示している。被処理液は、２本のＬ字管１３を介して触媒充填装置１０に導入され、目皿板１１に設けられた流通孔１１ａを通過して、上方の触媒充填層１２に供給される。流通孔１１ａの数は制限されないが、被処理液が均一に広がるように、触媒充填装置全体に存在させるのがよい。流通孔１１の大きさにも限定はないが、被処理液が流通可能で、かつ、触媒を保持可能な程度の大きさ（例えば１０ｍｍφ）のものが好ましい。Ｌ字管１３に導入された被処理液は、目皿板１１と水平に斜めに噴出される。斜めに噴出された被処理液は、触媒層を流通しながら触媒層上部から溢出する間に触媒と均一に接触することができるため、有機ハロゲン化合物の分解効率が高くなる。
【００２９】
次に、上記分解処理システムの使用方法とともに、本発明に係る有機ハロゲン化合物の分解処理方法の一実施形態について、図１を参照しつつ説明する。
【００３０】
まず、図１に示す微量ないし少量のＰＣＢが混入した油の入った柱上変圧器２に、後述する水素供与体及びアルカリ化合物を添加して被処理液を調製する。必要に応じて容器内を攪拌、混合する。次に、被処理液５を、触媒３０が充填された触媒充填装置１０に連続的に流通させて有機ハロゲン化合物を脱ハロゲン化処理する。反応温度は特に限定されないが、装置の簡略化を図るためには、常温で実施することが好ましい。常温とは、加温しない温度を意味し、通常１５〜２５℃である。柱上変圧器等の保管場所や季節により前記温度範囲外となることもあるが、本発明では、かかる場合も常温の範囲に含める。副反応生成物を抑制しつつ脱ハロゲン化効率を高める観点より、被処理液を加温してもよい。流通時間は特に限定されないが、通常、２〜３００時間行う。
【００３１】
以上の分解処理を行うことにより、２５℃、１週間程度で油中の有機ハロゲン化合物含有量を０．５ｐｐｍ以下に減少させることができる。
【００３２】
上記の分解処理に用いた触媒は、再生処理を施した後、他の柱上変圧器の油の処理に再使用してもよい。触媒の再生処理は公知の方法で行えばよく、例えば、アセトンや低級アルコール等の有機溶剤を用い、１０〜８０℃で触媒を洗浄することにより、再生することができる。洗浄時間に限定はなく、吸着した有機ハロゲン化合物の脱着状況に応じて適宜決定すればよい。
【００３３】
ここで、本発明において油に添加する「水素供与体」としては、例えば、複素環式化合物、アミン系化合物、アルコール系化合物、ケトン系化合物、及び脂環式化合物等の有機系水素供与体等が挙げられる。これらの化合物の中でも、安全性の観点より、アルコール系化合物、ケトン系化合物、脂環式化合物が好ましく、特に、安全性が高く、低コストで入手可能であり、しかも反応制御が容易で、ＰＣＢ分解効率が高い点より、アルコール系化合物が好ましい。これらの水素供与体は、単独で又は二種以上を任意に組合わせて使用することができる。
【００３４】
ここで、前記のアルコール系化合物としては、脂肪族アルコール、芳香族アルコールのいずれであってもよく、直鎖又は分岐鎖を有する一価アルコールや多価アルコールを用いることができる。アルコール系化合物の炭素数は１〜１２の範囲が好ましく、より好ましくは２〜９の範囲、さらに好ましくは３〜６の範囲である。前記アルコール系化合物の具体例としては、例えば、メタノール、エタノール、１−プロパノール、２−プロパノール、ｎ−ブタノール、ｓ−ブタノール、ｔ−ブタノール、１−ペンタノール、２−ペンタノール、３−ペンタノール、１−ヘキサノール、２−ヘキサノール、３−ヘキサノール、１−ヘプタノール、２−ヘプタノール、３−ヘプタノール、１−オクタノール、２−オクタノール等の脂肪族アルコール、シクロプロピルアルコール、シクロブチルアルコール、シクロペンチルアルコール、シクロヘキシルアルコール、シクロヘプチルアルコール、シクロオクチルアルコール等の脂環式アルコール、エチレングリコール、プロピレングリコール、デカリンジオール等の多価アルコール等が挙げられる。これらの中でも、分解効率の点から２−プロパノール、シクロヘキサノールが特に好ましい。
【００３５】
また、アルカリ化合物としては、有機ハロゲン化合物の脱ハロゲン化反応を促進しうるものであれば制限なく使用することができるが、脱ハロゲン化効率を高める観点より、苛性ソーダ、苛性カリ、ナトリウムアルコキシド、カリウムアルコキシド、水酸化カルシウム等が好ましく用いられる。中でも、コストやハンドリング性の観点より、苛性ソーダ、苛性カリが特に好ましい。アルカリ化合物は、単独で又は二種以上を任意に組合わせて使用することができる。
【００３６】
本発明の分解処理方法では、上記の水素供与体及びアルカリ化合物を事前にプレ攪拌してアルカリ化合物を水素供与体に溶解させておいたものを用いてもよい。
【００３７】
水素供与体は、有機ハロゲン化合物含有油に対し、５〜５０％（ｖｏｌ）用いることが好ましく、より好ましくは１０〜４０％（ｖｏｌ）である。水素供与体の量が５％未満では溶液の粘度が高くなり、また分解反応が進まなくなる。また、水素供与体の量が５０％を超えると、反応は十分進むが実用上意味がなく、また容器の許容量を超えるおそれがある。
【００３８】
また、アルカリ化合物は、水素供与体に対する割合として、０．１〜４０％（ｗ／ｖ）とするのが好ましく、より好ましくは０．２〜２０％（ｗ／ｖ）である。前記割合が０．１％未満では分解反応が進まず、４０％を超えるとアルカリ化合物が溶解しきれなくなる。アルカリ化合物は、有機ハロゲン化合物含有油に対し、０．０２〜１０％（ｗ／ｖ）用いることが好ましい。
【００３９】
本発明の分解処理方法においては、容器内の油と水素供与体及びアルカリ化合物を混合する場合は、振とうによる外部からの攪拌、攪拌子による内部からの攪拌、超音波によるミクロ的な攪拌など、いずれの方法を用いてもよい。振とうによる外部からの攪拌としては、例えば、柱上変圧器などの容器を、振動式攪拌機、振動台、振とう機等を用いて加振する方法（例えば、垂直および／または水平方向へ平行振動させる方法、回旋振動させる方法など）などが挙げられる。攪拌子による内部からの攪拌としては、例えば、攪拌羽根やマグネチックスターラー等の攪拌子を用いて被処理液を攪拌する方法などが挙げられる。攪拌する場合は、連続攪拌、間欠攪拌のいずれの方法を採用してもよい。
【００４０】
本発明の触媒充填装置に充填する触媒としては、ポリ塩化ビフェニールの脱ハロゲン化反応を促進しうるものであれば制限なく使用することができ、その種類は特に限定されない。無機系触媒は触媒寿命が長く、かつ、アルカリ化合物存在下でも安定であるため、有機系触媒よりも好ましい。無機系触媒の好ましい具体例としては、脱ハロゲン化効率を高める観点より、複合金属酸化物、炭素結晶化合物、金属担持炭素化合物、金属担持酸化物、金属担持複合金属酸化物及び金属酸化物等が好ましく用いられる。中でも、アルカリ性雰囲気で安全性が高い点より、炭素結晶化合物、金属担持炭素化合物、金属担持酸化物及び金属担持複合酸化物が好ましく、特に金属担持炭素化合物が好ましい。これらの触媒は、単独で又は二種以上を任意に組合せて使用することができる。また、上記の方法で再生された再生触媒を使用してもよい。
【００４１】
ここで、前記の炭素結晶化合物としては、グラファイト、カーボンナノチューブ（金属を含むものと含まないものの双方が含まれる）、フラーレン等が挙げられる。
【００４２】
また前記の金属担持炭素化合物としては、金属を担持した炭素化合物であれば制限なく用いることができ、その金属担持量は、触媒全量に対して０．１〜２０ｗｔ％、より好ましくは０．１〜１０ｗｔ％であるのがよい。担持される金属としては、例えば、鉄、銀、白金、ルテニウム、パラジウム、ロジウム等が挙げられ、脱ハロゲン化効率を高める観点より、パラジウム、ルテニウム、白金が好ましい。金属担持炭素化合物の具体例としては、例えば、Ｐｄ／Ｃ（パラジウム担持炭素化合物）、Ｒｕ／Ｃ（ルテニウム担持炭素化合物）、Ｐｔ／Ｃ（白金担持炭素化合物）等が挙げられる。
【００４３】
前記の金属担持酸化物及び金属担持複合酸化物は、金属を担持した酸化物、複合酸化物であれば制限なく用いることができ、その金属担持量及び金属の種類は、上記の金属担持炭素化合物と同様である。金属担持酸化物の具体例としては  例えば、Ｐｄ／ＴｉＯ２（パラジウム担持２酸化チタン）等が挙げられる。金属担持複合酸化物の具体例としては、例えば、Ｐｄ／ＳｉＯ２・Ａｌ２Ｏ３（パラジウム担持シリカ−アルミナ）等が挙げられる。
【００４４】
金属担持炭素化合物等の触媒は、粒状のものでもハニカム状のものでもよい。粒状の場合はカラムの上下をメッシュ等で固定する必要があり、その場合の粒子径は７５μｍ〜１０ｍｍが好ましい。１０ｍｍを超える場合は比表面積が不足し、７５μｍ未満の場合はメッシュが詰まり差圧が高くなる。より好ましくは１５０μｍ〜５ｍｍが望ましい。触媒粒子は、できるだけ粒子径のそろったものがよい。
【００４５】
本発明の分解処理方法及びシステムによれば、油中に混入した有機ハロゲン化合物の濃度が短期間に０．５ｐｐｍ以下にまで分解されるので、分解処理後の油を回収して後処理することにより、燃料などとして再利用することができる。
【００４６】
本発明の有機ハロゲン化合物の分解処理方法によれば、外部から水素ガスや熱を加える場合より若干遅い速度で有機ハロゲン化合物が分解し脱ハロゲン化される。その機構は明らかではないが、アルカリ化合物が有機ハロゲン化合物の脱ハロゲン化反応を促し、そこに水素供与体からの水素ラジカルが入り込むものと考えられる。分解速度が遅くても、変圧器の貯蔵所等の現場であれば新たな加熱源等を用意せずとも放置するだけでＰＣＢを処理できる。
【００４７】
次に、本発明を実施例により具体的に説明するが、本発明は以下の実施例にのみ限定されるものではない。また、以下の実施例等において、特に言及する場合を除き、「質量％」は「％」と略記する。
【実施例１】
【００４８】
図１に示す柱上変圧器に、１種２号絶縁油を４５Ｌ、ＰＣＢとしてＫＣ−４００（４塩化ビフェニール、鐘淵化学（株）製）を２２５μＬ添加し、ＰＣＢ５ｐｐｍ含有試験油を調製した。これに、水素供与体としてイソプロピルアルコール９Ｌ（対試験油２０ｖｏｌ％）、及びアルカリとしてＫＯＨ８０．１ｇ（対試験油０．１７％）を添加し、攪拌して被処理油を得た。
【００４９】
一方、粒状活性炭（商品名：ダイヤホープ００８）にパラジウム（Ｐｄ）を５％担持させた触媒（平均粒径１ｍｍ程度）を用意し、７０℃で２４時間乾燥した。この触媒を触媒充填装置（カラムφ：２１．６ｃｍ、カラム高さ１２ｃｍ）に入れ、上下を１００メッシュの網で挟み込み、触媒を充填した。柱上変圧器の外側に、ＥＦＮＩＣ（株）製ギヤポンプ（ＭｏｄｅｌＧＰＥ−０３１、１２Ｖ  ＤＣ）を、合計２個取り付け、各ポンプに内径６ｍｍのテフロンチューブを取り付け、各ポンプ共に、それぞれ片方の端を被処理液底部に浸漬し、他の端を触媒充填装置の下部に設けたＬ字管に取り付けた（図１参照）。ポンプで吸い上げた被処理液を、触媒充填装置のＬ字管から触媒充填層（断面積：３６６．４ｃｍ２）に、２０００ｍｌ／分の速度で連続的に通液し、触媒充填装置の上部から液を溢れさせながら液を循環し、定期的にサンプリングした。このときの空間速度（ＳＶ）は、０．０９１ｃｍ／ｓｅｃであった。
【００５０】
サンプリングした被処理油中のＰＣＢ濃度を、ＤＢ１（Ｊ＆Ｗサイエンティフィック製）をキャピラリーカラムとする（株）島津製作所製のガスクロマトグラフィー質量分析計ＱＰ５０５０ＡＷ（以下、「ＧＣ−ＭＳ」）を用いて分析した。分析結果を表１に、ＰＣＢの脱ハロゲン化効果と経日数との関係を示すグラフを図４に、それぞれ示す。
【００５１】
【表１】
0003626960.tif 000002
【００５２】
試験結果からＰＣＢ濃度が５日間で０．２ｐｐｍまで減少し、目標の０．５ｐｐｍを達成することができた。
【図面の簡単な説明】
【００５３】
【図１】本発明に係る有機ハロゲン化合物の分解処理システムの一実施形態を示す正面透視図である。
【図２】本発明に係る有機ハロゲン化合物の分解処理システムの他の実施形態を示す正面透視図である。
【図３】本発明に係る触媒充填装置の側面図（ａ）と上面図（ｂ）である。
【図４】本実施例に係るＰＣＢの脱ハロゲン化効果と経日数との関係を示すグラフである。
【符号の説明】
【００５４】
１  分解システム
２  柱上変圧器
３  カバー
４  柱上変圧器内部巻き線
５  被処理液
６  被処理液の液面
１０  触媒充填装置
１１  目皿板
１１ａ  流通孔
１２  触媒充填層
１３  導入管
１４，１５  供給ライン
２０  ポンプ
３０  触媒
【要約】
【課題】  柱上変圧器に使用された絶縁油など、有機ハロゲン化合物が混入した油を特別な分解処理装置を使用することなく簡易に短期間で無害化処理することができ、しかも、触媒を分離する手間が不要で、副反応生成物が生成する可能性の低い、有機ハロゲン化合物の分解処理方法及び分解システムを提供する。
【解決手段】  柱上変圧器内に充填又は保存された有機ハロゲン化合物を含む油に、水素供与体とアルカリ化合物とを添加してなる混合液を、柱上変圧器内に配置した触媒充填装置に流通させた後、柱上変圧器内に循環させる操作を繰り返すことにより油を無害化する、有機ハロゲン化合物の分解処理方法。有機ハロゲン化合物の分解触媒を備えた移動式触媒充填装置と、該触媒充填装置に柱上変圧器内の油等を供給する供給手段とを少なくとも備えてなる、柱上変圧器内に充填又は保存された油中の有機ハロゲン化合物を分解する省スペース内蔵型の分解処理システム。
【選択図】  図２
【図１】
0003626960.tif 000003
【図２】
0003626960.tif 000004
【図３】
0003626960.tif 000005
【図４】
0003626960.tif 000006